(57)【特許請求の範囲】
【請求項１】
建物躯体の外壁を形成するために複数の建築用パネルによる壁材の下端部に水切り部材を取り付ける施工方法であって、
その水切り部材は、壁材の室外側面へ接する縦面部と、その縦面部から室外側方向へ突出する水受け部と、その水受け部から水を落とすために下方へ連続させた形状をなした水切り部とを備えるとともに、水切り部材を壁材へ固定するための固定部材の受け部を、前記水受け部の下方に備えており、
複数の建築用パネルを水平方向に連結する工程と、
その連結した建築用パネルの室外側面にサイディング材を固定する工程と、
連結した建築用パネルの幅以上の長さを備えた長尺状の水切り部材を、連結した建築用パネルの下端部に固定する工程とを含むことを特徴とする水切り部材の固定方法。
【発明の詳細な説明】
【０００１】
【発明が属する技術分野】
本発明は、建物の構造材とサイディング材との間に配置される水切り部材の固定方法に関する。
【０００２】
【先行技術】
本発明の従来技術の説明に当たり、本出願人は、予め日本特許情報機構（ＪＡＰＩＯ）の先行技術調査（パトリス）の利用により、以下の検索式で昭和４５年以後の特許出願、実用新案登録出願を調査し、その結果、特許出願を約５０件、実用新案登録出願を約２５０件抽出した。
【０００３】
検索式 ： Ｅ０４Ｂ０１／６４Ｃ×（壁＋外壁＋パネル）
そして、本出願人は前期調査結果を踏まえ、先行技術について鋭意検討した結果、関連技術として、特開平８−１２８１１８号を抽出した。
図４を用いて、特開平８−１２８１１８号に開示された技術について、更に詳しく説明する。
【０００４】
建物躯体を形成する壁材１０の室外側面には、胴縁１５を介在させることによってサイディング材２０を固定する。胴縁１５の存在により、壁材１０とサイディング材２０との間には、間隙１９が設けられ、通気性を確保することとなる。
サイディング材２０の下方においては、サイディング材２０の下端から滴る水滴が壁材１０へ付着しないようにするための水切り部材４０を固定する。
【０００５】
この水切り部材４０は、壁材１０の室外側面へ接し、固定部材５０たる釘やネジにて水切り部材４０を固定するための縦面部４１と、その縦面部４１から室外側方向へ突出する水受け部４２と、その水受け部４２から水を落とすために下方へ連続させた形状をなした水切り部４３とを備えたものである。
この技術によれば、建物の外観を損なわず、取付位置が異なっても部材の共通化が可能であり、壁パネル１０とサイディング材２０との間の通気性も損なわない、という特徴がある。
【０００６】
【発明が解決しようとする課題】
しかし、壁パネル１０とサイディング材２０との間の間隙１９は狭い空間であるので、水切り部材４０の固定作業よりも、サイディング材２０を固定する作業を先にすることはできなかった。
また、水切り部材４０は長尺部材であるので、位置決め作業をしながらの固定は、作業者一人で行うのに手間の掛かる作業となりがちであった。
【０００７】
本発明が解決しようとする課題は、サイディング材の固定作業の順番に左右されずに、水切り部材の固定作業を容易に行える技術を提供することにある。
ここで、請求項１記載の発明は、複数の建築用パネルによる壁材の組立作業との関係で、固定作業を容易に行える水切り部材の固定方法を提供することである。
【０００８】
【０００９】
なお、上記の課題を解決する技術は、前記した先行技術調査によっては発見できなかった。
【００１０】
【課題を解決するための手段】
本発明は、上記した目的を達成するためのものである。
（請求項１）
請求項１記載の発明は、建物躯体の外壁(10)を形成するために複数の建築用パネル(10A,10B,10C)による壁材(10)の下端部に水切り部材(30)を取り付ける施工方法であって、その水切り部材(30)は、壁材(10)の室外側面へ接する縦面部(31)と、その縦面部(31)から室外側方向へ突出する水受け部(32)と、その水受け部(32)から水を落とすために下方へ連続させた形状をなした水切り部(33)とを備えるとともに、水切り部材(30)を壁材(10)へ固定するための固定部材(例えば、固定ネジ50)の受け部(35)を、前記水受け部(32)の下方に備えており、複数の建築用パネル(10A,10B,10C)を水平方向に連結する工程と、その連結した建築用パネル(10A,10B,10C)の室外側面にサイディング材(20)を固定する工程と、連結した建築用パネル(10A,10B,10C)の幅以上の長さを備えた長尺状の水切り部材(30)を、連結した建築用パネル(10A,10B,10C)の下端部に固定する工程とを含むことを特徴とする。
【００１１】
（作用）
縦面部(31)を連結した建築用パネル(10A,10B,10C)による壁材(10)の室外側面へ接触させ、受け部(35)に対して固定部材(50)を用いて、水切り部材(30)を壁材(10)へ固定する。水切り部材(30)を壁材(10)へ固定するための固定部材(例えば、固定ネジ50)の受け部(35)は、水受け部(32)の下方に備えているので、サイディング材(20)の壁材(10)への固定作業の前後に関わらず、水切り部材(30)を壁材(10)へ固定することができる。
【００１２】
サイディング材(20)の下端から滴る水滴は、水受け部(32)に落ち、水切り部(33)にて落下させられる。
【００１３】
ここで、下角部(34)を壁材(10)の室外側表面の下端部角部に沿わせると、水切り部材(30)の位置決めが容易に行える。そのため、取付作業を簡易化することができる。
【００１４】
また、水切り部(33)の下端を、受け部(35)よりも下方に位置させると、室外側からは固定部(30)が見えにくくなるため、壁材(10)に固定した水切り部材(30)の外観を良好にすることができる。
【００１５】
更に、水切り部(33)から落下する水滴が、風にて壁材(10)側へ向かっても、固定部材(50)にまで達することがほとんどなくなる。したがって、固定部材(50)に対する防水性も高められる。
【００１６】
【００１７】
【００１８】
なお、上記の「複数の建築用パネル(10A,10B,10C)を水平方向に連結する工程」には、水切り部材(30)の取付現場で建築用パネル(10A,10B,10C)を水平方向に連結する場合と、予め建築用パネル(10A,10B,10C)の製造現場で連結する場合との両方の場合を含む。
【００１９】
【発明の実施の形態】
以下、本発明の実施の形態及び図面に基づいて、更に詳しく説明する。
ここで使用する図面は、図１ないし図３である。図１は、本発明の第一の実施の形態を示す縦断面図である。図２は、本発明の第一の実施の形態を示す斜視図である。図３は、本発明の第一の実施の形態における施工方法を示すための斜視図である。
【００２０】
（構成）
建物躯体を形成する壁材１０の室外側面には、胴縁１５を介在させることによってサイディング材２０を固定する。胴縁１５の存在により、壁材１０とサイディング材２０との間には、間隙１９が設けられ、通気性を確保することとなる。サイディング材２０の下方においては、サイディング材２０の下端から滴る水滴が壁材１０へ付着しないようにするための水切り部材３０を固定する。
【００２１】
この水切り部材３０は、壁材１０の室外側面へ接する縦面部３１と、その縦面部３１から室外側方向へ突出する水受け部３２と、その水受け部３２から水を落とすために下方へ連続させた形状をなした水切り部３３とを備えるとともに、水切り部材３０を壁材１０へ固定するための固定部材たる固定ネジ５０の受け部３５を、前記水受け部３２の下方に備えている。図２で明らかなように、長尺部材であり、通常は熱可塑性樹脂等の材質にて形成される押出成形品である。
【００２２】
この水切り部材３０は、壁材１０の室外側表面の下端部角部に沿わせることができる下角部３４を備えている。
また、水切り部３３の下端は、受け部３５よりも下方に位置させる。更に、水切り部３３の下端を、固定ネジ５０が固定された場合の固定ネジ５０の軸方向に平行して該固定ネジ５０のネジ頭５１の上端を通る仮想線よりも上方に位置させる。
【００２３】
（固定作業）
この水切り部材３０は、縦面部３１を壁材１０の室外側面へ接触させ、受け部３５に対して固定ネジ５０を用いて、水切り部材３０を壁材１０へ固定する。このとき、下角部３４を壁材１０の室外側表面の下端部角部に沿わせ、水切り部材３０の位置決めを容易に行う。そのため、取付作業を簡易化できる。
また、水切り部３３の下端が、固定ネジ５０を差し込む際に妨げにならないので、作業性が向上できる。
【００２４】
水切り部材３０を壁材１０へ固定するための固定ネジ５０の受け部３５は、水受け部３２の下方に備えているので、サイディング材２０の壁材１０への固定作業の前後に関わらず、水切り部材３０を壁材１０へ固定することができる。
サイディング材２０の下端から滴る水滴は、水受け部３２に落ち、水切り部３３にて落下させられる。水切り部３３から落下する水滴が、風にて壁材１０側へ向かっても、固定ネジ５０にまで達することがほとんどなくなる。したがって、固定ネジ５０、ひいては壁材１０に対する防水性も高められる。
【００２５】
（建築用パネル）
前述したような水切り部材３０を、予め建築用パネルに固定しておいてもよい。
そのような建築用パネルによれば、建築用パネルを立設固定する作業をするだけで、水切り部材３０を取り付ける作業が不要となる。その結果、現場での施工作業を簡易化することができる。
【００２６】
（現場作業）
建物の建築現場では、図３に示すように、複数の建築用パネル１０Ａ，１０Ｂ，１０Ｃを連結してから水切り部材３０を連続して固定する。この場合でも、建築用パネル１０Ａ，１０Ｂ，１０Ｃにサイディング材２０を固定する前であっても、後であっても、水切り部材３０を取り付けることができる。
【００２７】
【発明の効果】
請求項１記載の発明によれば、サイディング材の固定作業の順番に左右されずに、固定作業を容易に行える水切り部材を用い、壁材の組立作業との関係で、固定作業を容易に行え、結果として現場での施工作業を簡略化することができる水切り部材の固定方法を提供することができた。
【００２８】
【００２９】
【図面の簡単な説明】
【図１】  本発明の第一の実施の形態を示す縦断面図である。
【図２】  本発明の第一の実施の形態を示す斜視図である。
【図３】  本発明の第一の実施の形態における施工方法を示すための斜視図である。
【図４】  従来技術を示すための縦断面図である。
【符号の説明】
１０…壁材、１０Ａ，１０Ｂ，１０Ｃ…壁パネル、１５…胴縁、１９…間隙、２０…サイディング材、３０…水切り部材、３１…縦面部、３２…水受け部、３３…水切り部、３４…下角部、３５…固定部材受け部、４０…水切り部材、４１…縦面部、４２…水受け部、４３…水切り部、５０…固定ネジ、５１…ネジ頭。
【図１】
0003974246.tif 000002
【図２】
0003974246.tif 000003
【図３】
0003974246.tif 000004
【図４】
0003974246.tif 000005